(57)【特許請求の範囲】
【請求項１】
入力される画像データのウインドウ幅及びウインドウレベルを操作手段を調整して所望の値に設定するウインドウ操作装置において、
表示されている画像のウインドウ幅の大きさに応じて前記操作手段における操作量に対する前記ウインドウ幅の変化量を変化させる制御手段を有し、
前記制御手段は、前記画像データ全体の濃淡発生頻度分布又は予め設定された濃淡値発生頻度分布に基づき、データが多く発生している濃淡値近傍にて前記操作手段における操作量を緩やかとすべく制御することを特徴とするウインドウ操作装置。
【請求項２】
入力される画像データのウインドウ幅及びウインドウレベルを操作手段を調整して所望の値に設定するウインドウ操作装置において、
表示されている画像のウインドウ幅の大きさに応じて前記操作手段における操作量に対する前記ウインドウ幅の変化量を変化させる制御手段と、
前記画像データを格納する画像メモリと、
前記画像データから画素値のヒストグラムを計算する第一計算手段と、
前記ヒストグラムのデータから各画素値に対応する操作感度代表値を求める第二計算手段と、
前記画像データのウインドウレベルを調整するウインドウレベルスイッチと、
前記ウインドウレベルスイッチの操作速度に基づき一次変換量を求める第一変換手段と、
前記一次変換量と前記操作感度代表値に基づき二次変換量を求める第二変換手段と、
前記二次変換量をウインドウレベルに加算して新たなウインドウレベルとする加算手段とを備えることを特徴とするウインドウ操作装置。
【請求項３】
前記第一計算手段は、前記画像データの所望帯域の画素値についてのみヒストグラムを計算し、
前記第二計算手段は、前記ヒストグラムについて操作感度代表値を求めることを特徴とする請求項２記載のウインドウ操作装置。
【発明の詳細な説明】
【０００１】
【産業上の利用分野】
本発明は、例えば医用画像撮影装置にて撮影された画像データのウインドウ幅、ウインドウレベルが好適となるように制御するウインドウ操作装置に関する。
【０００２】
【従来の技術】
医用画像診断装置にて撮影される例えばＸ線透視画像等の医用画像は、診察する際に濃淡値諧調変換（以下、ウインドウ変換という）を加えて、診察対象となる部位の諧調を際立たせる。ウインドウ変換には、ウインドウレベル（ＷＬ）の調整と、このウインドウレベルを中心としてどの画素値まで諧調をつけるかを決めるウインドウ幅（ＷＷ）の調整とがあり、通常はこの２つを調整する。つまり、撮影されたＸ線画像内には、骨部、臓器部等それぞれ画素値の異なる部位が存在するので、当該画像上で所望の臓器を観察したい場合にはこの画素値近傍にウインドウレベル、ウインドウ幅を設定してこの部位の濃淡を際立たせれば良い。
【０００３】
このようなウインドウ変換の従来方法としては以下に示す４通りの方法があり、以下に説明する。
【０００４】
（ａ）  回転ダイヤルを使用する方式
（ｂ）  スナップスイッチを使用する方式
（ｃ）  置数キーを設ける方式
（ｄ）  ソフトウエアによる制御方式
＜（ａ）回転ダイヤルを使用する方式＞
この方式は、回転ダイヤルの回転量に比例した分だけウインドウ幅、ウインドウレベルを変化させるものであり、ダイヤルの回転をロータリーエンコーダにて検出し、この検出結果に定数を乗じてウインドウ幅、ウインドウレベルの調整量を決定する。また、回転ダイヤルの回転速度を検出し、この検出結果に基づき回転速度が速いときにはウインドウ幅、ウインドウレベルの変化量が大きくなるように制御することもできる。
【０００５】
＜（ｂ）スナップスイッチを使用する方法＞
この方式は、スナップスイッチの切換えによりウインドウ幅、ウインドウレベルの変化量を変換するものである。即ち、ウインドウ幅、ウインドウレベルの切換えスイッチと、変化速度の速い・遅いを切換えるスイッチと、増加・減少を切換えるスイッチを配設し、各スイッチ操作により８通りの操作モードを設定することたできる。例えば、ウインドウ幅を速い速度で増加させる方向に変化させる等の設定が可能である。
【０００６】
＜（ｃ）置数キーを設ける方式＞
この方式は、多数の置数キーを設定し、各置数キーに従ってウインドウ幅、ウインドウレベルを決定するものである。
【０００７】
＜（ｄ）  ソフトウエアによる制御方式＞
画面上にウインドウ幅、ウインドウレベルを文字やグラフィックで表示し、マウスやキーボードで操作する方式であり、データ処理的には前記した（ｂ）、（ｃ）の方式と同一であるが、ウインドウ変換をハードウエアを使用せずにコンピュータ画面を見ながらマウスやキーボードを用いて操作する方法である。
【０００８】
【発明が解決しようとする課題】
上記した各従来方法によれば以下に示す如くの欠点がある。
【０００９】
（ａ）回転ダイヤルを使用する方式においては、Ｘ線ＣＴ画像等の医用画像データは一般に、−２０４８〜２０４７迄の広範囲な帯域のデータを有しており、しかし、濃淡値として表示するのは、ほんの一部である。例えば、ＣＴ画像では空気は−１０００、水は０、内臓組織は一般に＋４０程度、骨組織は＋５００程度から＋１０００程度の範囲であり、通常は主に内臓組織に濃淡値表示帯域を設定する。
【００１０】
通常は画像再構成時に関心濃淡値を決定し画像情報に設定するが、骨組織／脳組織／内臓のいずれかを診断するかは画像再構成時には厳密には決定しておらず、内臓組織と骨組織、脳組織と骨組組織等へのウインドウ設定を繰り返す事がある。
【００１１】
また、回転ダイヤル方式のウインドウ操作（操作速度によってウインドウ変化倍率を変化させる方式）では、回転ダイヤルをいきおいよく回す事によって所望のウインドウ値に速やかに近付ける事が出来る。しかし、表示帯域は一般に狭いため簡単に行き過ぎてしまい、回転ダイヤルを逆回転させたり、ゆっくり操作するなどを行う事により所望のウインドウ値に設定しなければならない。この様に、大きく離れた濃淡値帯域間の設定を繰り返す際の操作の制度が悪い。
【００１２】
（ｂ）スナップ・スイッチを使用する方式は、操作速度のバリエーションが予め用意した種類のみであり操作に制限がある。そこで、スイッチを増やすと操作速度のバリエーションを増やす事が出来るが、操作が煩雑になる。
【００１３】
この様にスイッチ数に関して、操作の煩雑／操作性から増やしても、減らしても操作性が低下する。実際の装置では、本方式をウインドウ値の微調整のみに使用し大きく離れたウインドウ値の設定には（ｃ）の置数キーを設ける方式を併用している。
【００１４】
（ｃ）多数の置数キーを設ける方式では、ＷＬ／ＷＷの必要な置数キーを揃えるだけで操作パネル上が置数キーで一杯になってしまうという問題があり、実際の装置では（ｂ）方式と併用しそれぞれバランスをとり実用的な装置を開発する事が出来たが、複数種のスイッチを多数操作するため煩雑で操作性が悪い。
【００１５】
（ｄ）ソフトウエア制御方式では、キーボードからのウインドウ値入力、変化量入力、或いは、マウスによる操作等操作が煩雑であるという問題がある。
【００１６】
この発明はこのような従来の課題を解決するためになされたもので、その目的とするところは、容易に所望のウインドウ幅、ウインドウレベルに設定することのできるウインドウ操作装置を提供することにある。
【００１７】
【課題を解決するための手段】
上記目的を達成するために、請求項１記載の発明は、入力される画像データのウインドウ幅及びウインドウレベルを操作手段を調整して所望の値に設定するウインドウ操作装置において、
表示されている画像のウインドウ幅の大きさに応じて前記操作手段における操作量に対する前記ウインドウ幅の変化量を変化させる制御手段を有し、
前記制御手段は、前記画像データ全体の濃淡発生頻度分布又は予め設定された濃淡値発生頻度分布に基づき、データが多く発生している濃淡値近傍にて前記操作手段における操作量を緩やかとすべく制御することを特徴とするものである。
【００２３】
上述の如く構成された請求項１の発明によれば、画像データのヒストグラムに応じてウインドウ幅、ウインドウレベルが設定される。例えば、ヒストグラムの値の小さい画素値においては、この画素値にウインドウレベルを設定する可能性は少ないので操作量に対する変化量を大きくする。また、反対に、ヒストグラムの値が大きい画素値においては、この画素値にウインドウレベルを設定する可能性は大きく、微調整が容易なように、操作量に対する変化量を小さくする。これによれば、微調整が必要なウインドウ幅が小さい領域にて変化量が小さくなるので微調整が容易となり、反対に、ウインドウ幅が大きい領域では変化量がおおきくなるのでウインドウ幅の変更が容易となる。
【００２４】
請求項２の発明によれば、ヒストグラムに対応した操作感度代表値が求められる。ここで、操作感度代表値とは、ヒストグラムの大きさに応じて決められるウインドウレベルである。そして、操作スイッチの操作速度に基づき一次変換量が求められ、更に、この一次変換量と操作感度代表値から二次変換量が求められる。従って、操作者の操作速度に応じてウインドウレベルの変化量が切替わり、目標のウインドウレベルに容易に到達させることができる。
【００２９】
【実施例】
以下、本発明の実施例を図面に基づいて説明する。図１は本発明の第１実施例に係るウインドウ操作装置の構成を示すブロック図である。同図に示すように、このウインドウ操作装置は、Ｘ線撮影装置等の医用画像診断装置にて撮影された医用画像を取り込むインターフェース１と、取り込まれた医用画像データを格納する画像メモリ２と、該画像メモリ２に格納された画像データのヒストグラムを計算するヒストグラム計算部３と、計算されたヒストグラムデータを格納するヒストグラムメモリ７と、予め設定された複数のヒストグラムデータが格納される既定義ヒストグラムメモリ８と、前記ヒストグラムメモリ７及び既定義ヒストグラムメモリ８のいづれか一方のデータを選択するヒストグラム選択部９とを有している。また、画像メモリ２の出力は図１６に示す表示ユニット側に画像データを出力する。
【００３０】
ヒストグラム計算部３は、例えば、図２（ａ）に示すように、画素値毎のデータ発生頻度をヒストグラムとして求める処理を行う。
【００３１】
既定義ヒストグラムメモリ８は、予め定義されたヒストグラムデータを記憶させるものであり、例えば、被検体頭部や胸部の画像のヒストグラムデータが格納されている。
【００３２】
また、このウインドウ操作装置は、前記したヒストグラム選択手段にて選択されたヒストグラムデータに基づきウインドウ幅及びウインドウレベルの操作感度（操作量に対する変化量の割合）の代表値を決定する操作感度代表値計算部１０と、この代表値を格納する操作感度代表値メモリ１１と、ウインドウレベルの操作を行うＷＬ回転スイッチ４と、該スイッチ４の操作量ΔＷＬから速度一次変換値ΔＷＬ′（後述）を求める速度一次変換部５と、更に速度二次変換値ΔＷＬ″を求める速度二次変換部６と、加算部１２と、ウインドウレベルを決定して出力するウインドウレベル決定部１３とを有している。
【００３３】
操作感度代表値計算部１０は、ヒストグラムデータhist(val) を基に、以下に示す（１）式により操作感度代表値oratio(val) を求める。
【００３４】
【数１】
oratio(val) ＝max （hist(data i ) ）＊ｋ／hist(val) …（１）
ｉは画像データ数、ｋは定数、val は画素値であり例えば−２11〜２11−１までの諧調を有する。
【００３５】
つまり、この（１）式では、画像データの大きさに対する操作感度を示しており、ヒストグラムデータhist(val) が小さいところでは操作感度代表値oratio(val) が大きく、少ない操作量で大きく変化する。また、反対にhist(val) が大きいときにはoratio(val) は小さくなるので、微調整が容易となる。（１）式を図に示すと図３の如くとなり、データ頻度の小さい画素値近傍では操作感度が極端に大きくなる。
【００３６】
そこで、これを防止する為に操作感度代表値oratio(val) にしきい値を設ける。その結果、例えば、図４に示す如くの特性曲線が得られる。このようにすれば、操作感度の極端な変化を防止することができるようになる。また、これを図２（ａ）に示したヒストグラムに当てはめると、同図（ｂ）に示す如くとなり、画素値の頻度の高いところで操作感度代表値Ｆ(x) が小さくなっていることが理解できる。
【００３７】
また、ヒストグラムメモリのデータサイズを減らし、またウインドウ音化をスムースにするために、ヒストグラムデータを薮点で平均化し、使用時に補間あるいは、そのまま使用する。
【００３８】
速度一次変換部５は、回転スイッチの回転速度を強調したウインドウレベルの変化量ΔＷＬ′を求めて出力するものであり、例えば、単位時間当たりの変化量ΔＷＬの二乗の値を出力する。即ち、以下に示す（２）式である。
【００３９】
ΔＷＬ′＝ΔＷＬ＊｜ΔＷＬ｜    …（２）
速度二次変換部６は、速度一次変換部５にて求められた変化量ΔＷＬ′と、操作感度代表値関数oratioから、次の（３）式にて二次変化量ΔＷＬ″を求める。
ΔＷＬ″＝ΔＷＬ′＊oratio（ＷＬ-1）…（３）
ここで、oratio（ＷＬ-1）は、時系列的に変化する操作感度代表値の前回の数値である。
【００４０】
加算部１２は、前回のウインドウレベルＷＬ-1にΔＷＬ″を加算して今回のウインドウレベルＷＬを求める。
【００４１】
ウインドウレベルメモリ１３は、加算部１２にて求められたウインドウレベルＷＬを記憶し出力するものである。
【００４２】
また、図１６に示す表示ユニットの画像読み出し部２３は、画像メモリ２に画像データのアドレス信号を供給して、このアドレスに対応した画像データを読み出す。ウインドウ関数発生部２４は、本願発明のウインドウ操作装置にて決定されたウインドウ幅、ウインドウレベルに基づいて、ウインドウ関数をルックアップテーブルデータとして発生する。濃淡値変換部２５は入力の１２bit 画像をルックアップテーブルに基づき濃淡値への変換処理を行う。画像処理部２６は、濃淡値が変換された後の画像信号をビデオ信号に変換する等の処理を加えてモニタ２７に出力するものである。
【００４３】
このように構成された本発明の第１実施例の動作を以下に説明する。まず、インターフェース１から医用画像が入力されると、この画像データは一旦画像メモリ２に格納され、表示ユニットに送られてモニタ２７にて表示される。また、この画像メモリ２内に格納された画像データはヒストグラム計算部３にてヒストグラムが計算され、ヒストグラムメモリ７内に格納される。
【００４４】
そして、ヒストグラム選択部９にて、計算されたヒストグラムまたは既定義のヒストグラムのいずれかが選択され、操作感度代表値計算部１０に送られる。操作感度代表値計算部１０では、前記した（１）式に従って操作感度代表値を演算し、この演算結果を操作感度代表値メモリ１１内に格納する。
【００４５】
いま、ＷＬ回転スイッチ４が操作されると速度一次変換部５にてスイッチ４の変化量ΔＷＬに基づき（２）式に従って一次変化量ΔＷＬ′が求められ、更に、速度二次変換部６にて、二次変換量ΔＷＬ″が（３）式よって求められる。このときの（３）式における「oratio（ＷＬ-1）」の値は、操作感度代表値計算部１０に記憶された値である。
【００４６】
その後、加算部１２において次の（３）式に示す加算が行われ今回のウインドウレベルＷＬが求められる。
ＷＬ＝ＷＬ-1＋ΔＷＬ″    …（４）
そして、このウインドウレベル値ＷＬはウインドウレベル決定部１３より出力される。その結果、図５に示す如くの操作速度、操作感度、画素値との関係が得られる。
【００４７】
このようにして、本実施例によれば、画像のヒストグラムデータ（実際の画像データから求めたもの又は既定義のもの）、及びＷＬ回転スイッチの操作量に基づいてウインドウレベルの変化量を可変としている。即ち、ヒストグラムデータから、画素値の多い部位については変化量を小さくし、画素値の少ない部位については変化量が大きくなるように設定される。また、回転スイッチの回転操作速度が速いときにはウインドウレベルの変化量が大きくなるように設定される。従って、操作者の操作に対して感応的にウインドウレベルが変化するようになり、操作性が著しく向上する。
【００４８】
次に本発明の第２実施例について説明する。図６は本発明の第２実施例に係るウインドウ操作装置の構成を示すブロック図である。図示のように、この実施例では、指定組織帯域中心算出部２１、指定組織帯域中心地メモリ２２が、それぞれ操作感度代表値計算部１０、操作感度代表値メモリ１１の代わりに配置されている点で前記した第１実施例と異なる。
【００４９】
指定組織帯域中心算出部２１は、ヒストグラムデータhist(val) 、及び操作者による設定帯域から次の（５）式に従って指定組織帯中心値i-centerを計算し、
i-center＝max(hist(val))    …（５）
val は帯域指定範囲内（内臓ならば０〜５０、量ならば５００〜１５００等）そして、速度二次変換部からのＷＬ-1を元に感度を求め、速度二次変換部へ感度を設定する。
感度＝｜i-center−ＷＬ-1｜
【００５０】
つまり、この第２実施例では、関心のある所望部位を指定するとこの指定された部位についてのヒストグラムに対して操作感度が変化するよう設定される、例えば図７（ａ）に示す如くのヒストグラムが与えられた際に、操作者が特に内臓組織について観察したい場合には、この内臓組織について帯域を設定すると、この部位についてのヒストグラムに対して操作感度の変化量の設定が行われ、同図（ｂ）に示す如くの特性曲線が得られる。また、速度二次変換部の処理によって図８に示す如くの操作速度、操作感度、画素値の関係を得ることができる。
【００５１】
このようにして、第２実施例によれば、所望の帯域を設定するとこの部位についてのヒストグラムに対して操作感度の設定が行われるので、観察したい組織が決まっている際には特に有用である。
【００５２】
図９は本発明の第３実施例に係るウインドウ操作装置の構成を示すブロック図である。この実施例では、現在のウインドウ幅ＷＷと、ウインドウ幅の操作量に基づいて操作感度を設定するものである。同図におけるＷＷ回転スイッチ３１を回転させると、この変化量ＷＷからこの回転速度ΔＷＷが求められ、速度一次変換部３２にて次の（６）式によりこの回転速度ΔＷＷを強調したＷＷ値の変化速度ΔＷＷ′が求められる。
ΔＷＷ′＝ΔＷＷ＊｜ΔＷＷ｜    …（６）
【００５３】
その結果、図１０に示す如くの一次関数的な変化を示す感度特性が、図１２に示すように二次関数的となり、ウインドウ幅ＷＷが大きくなるにつれて操作感度の増加率が上昇する。
【００５４】
その後、速度二次変換部３３ではＷＷメモリ３５に記憶されている前回のウインドウ幅ＷＷ-1に基づき、二次変換量ΔＷＷ″を次の（７）式にて求める。
ΔＷＷ″＝ΔＷＷ′＊（１＋ＷＷ-1）／Ｂ  …（７）
Ｂは定数
【００５５】
その後、加算部３４にて二次変換量ΔＷＷ″を前回のウインドウ幅ＷＷ-1に加算して今回のウインドウ幅を求め出力する。その結果、ＷＷ回転スイッチ３１の回転速度に応じた操作感度を得ることができるようになる。この際の特性曲線は、図１０に示した操作感度に対しては図１１の如くとなり、図１２に示した操作感度に対しては図１３のようになる。同図から明らかなように、回転スイッチの回転速度が速いほど操作感度が大きくなっている。
【００５６】
次に本発明の第４実施例について説明する。図１４は、第４実施例に係る構成図であり、前記した図９の実施例と比べて感度補正部３６を具備する点で異なる。
【００５７】
感度補正部３６は、前回のウインドウ幅ＷＷ-1からΔＷＷだけ増加して今回のウインドウ幅となる際に例えば１０００、１００等のきりの良い数値を通過するときには、このきりの良い数値付近にて操作量に対する変化量が低下するように、以下に示す如くの処理を行う。
【００５８】
今、変化量を低下させたい帯域の中心値をkvaln （ｎは１〜Ｍ、Ｍはきりのよい値として設定する総点数）とし、Ｃn をkvaln 前後の低下させたい帯域の半値とし、ウインドウ幅の変化量をΔＷＷ''' 、処理後のウインドウ幅をＷＷ''' とすると、以下の如くとなる。
【数２】
（kvaln −Ｃn ）＜ＷＷ-1＜（kvaln ＋Ｃn ）の範囲において、
（kvaln −Ｃn ）＜ＷＷ-1  ならば、
ΔＷＷ''' ＝ΔＷＷ″＊（ＷＷ-1−kvaln ）／Ｃn 
（kvaln −Ｃn ）＞ＷＷ-1  ならば、
ΔＷＷ''' ＝ΔＷＷ″＊（kvaln −  ＷＷ-1）／Ｃn 
（ＷＷ''' ／ＷＷ″）＜０．５であれば、
ΔＷＷ''' ＝ΔＷＷ″＊０．５
上記以外のとき；ΔＷＷ''' ＝ΔＷＷ″                …（８）
【００５９】
こうして、上記の方法を用いてウインドウ幅ＷＷ''' が求められ、kvaln 近傍にてウインドウ幅の操作感を穏やかにすることができるようになる。例えば、kvaln 、Ｃn を、
Ｃn ＝int(kvaln 0.5 )
とすると、図１５（ａ）に示す如くのデータが得られ、操作感度特性は同図（ｂ）のように、各きりの良いウインドウ幅の地点で操作感度が小さくなるように設定され、この付近における操作が容易になる。
【００６０】
このように、ウインドウ幅の設定は通常、１００や１０００等きりの良い値に設定することが多く、第４実施例では、ウインドウ幅がきりの良い値の近傍にて操作感度が低下するので、操作性が向上する。
【００６１】
図１７は、本発明の第５実施例を示すブロック図である。この実施例の構成は、前記した第１実施例とほぼ同一であり、感度補正部４１が新たに配設されている。
【００６２】
感度補正部４１は、前回のウインドウレベルＷＬ-1にΔＷＬが加えられ今回のウインレベルに変化する際に、例えば、１０００、１００等のきりの良い数値を通過する際には、このきりの良い数値付近にて操作量に対する変化量が低下するように、以下に示す如くの処理を行う。
【数３】
（kvaln −Ｃn ）＜ＷＬ-1＜（kvaln ＋Ｃn ）の範囲において、
（kvaln −Ｃn ）＜ＷＬ-1  ならば、
ΔＷＬ''' ＝ΔＷＬ″＊（ＷＬ-1−kvaln ）／Ｃn 
（kvaln −Ｃn ）＞ＷＬ-1  ならば、
ΔＷＬ''' ＝ΔＷＬ″＊（kvaln −  ＷＬ-1）／Ｃn 
（ＷＬ''' ／ＷＬ″）＜０．５であれば、
ΔＷＬ''' ＝ΔＷＬ″＊０．５
上記以外のとき；ΔＷＬ''' ＝ΔＷＬ″                …（９）
【００６３】
こうして、上記の方法を用いてウインドウレベルＷＬ''' が求められ、kvaln 近傍にてウインドウ幅の操作感を穏やかにすることができるようになる。
【００６４】
このようにして、第５実施例では１００や１０００のようにきりの良いレベルにて操作感度が低下するように設定されるので、きりの良い所望の値にウインドウレベルを容易に設定することができるようになる。
【００６５】
また、図２に示した第２実施例について感度補正部を設け、前記第５実施例と同様の方法を用いたウインドウレベルの設定をしても良い。この場合の構成は、図１８のようになり、動作は前述した通りである。
【００６６】
また、通常、肺、内臓、骨等の組織部分にウインドウレベルを設定することが多いので、ウインドウレベルの変化量を低下させたい値kvaln を予め−１０００（肺）、４０（内臓）、１０００（骨）等の値に設定しても良い。このようにすれば、図２２に示すような感度特性を得ることができる。
【００６７】
次に本発明の第６実施例について説明する。この実施例では、ウインドウレベルを操作する回転スイッチを連続して操作すると徐々に変化速度が増加するように制御するものである。そして、この実施例では、図１、図６に示した速度一次変換部５における処理が異なる。以下、図１を用いて具体的に説明する。
【００６８】
まず、ＷＬ回転スイッチ４の入力データΔＷＬの今回値ΔＷＬn と前回値ΔＷＬn-1 との差Δn ΔＷＬを次の（１０）式を用いて求める。
Δn ΔＷＬ＝ΔＷＬn −ΔＷＬn-1   …（１０）
【００６９】
そして、このΔn ΔＷＬの値が一定幅で連続している際には（例えば、ｍ回）速度一次変換部５の出力を次の（１１）式に示すように増加させる。
【数４】
ΔＷＬn ′＝ΔＷＬn ＊｜ΔＷＬn ｜＊ｆ（ｍ）…（１１）
例えば、ｆ（ｍ）＝ｍk 
ｋは定数である
【００７０】
このような設定によれば、操作者が連続にＷＬ回転スイッチ４を操作すると、この連続している時間に対応して操作量に対する変化量が大きくなる。従って、例えばウインドウレベルを１０００変更する際にもスイッチ４の操作量を大きくする必要はなく、緩やかな回転を連続しているだけで容易に所定のウインドウレベルに到達させることができるようになる。
【００７１】
次に、本発明の第７実施例について説明する。図１９は、第７実施例に係る構成図であり、図１に示した第１実施例の速度一次変換部５の構成が帯域判定部４１、連続性計数部４２、演算部４３から構成されている点で第１実施例とは異なっている。
【００７２】
帯域判定部４１は、回転ダイヤル４の操作量ΔＷＬと所定の下限値ＴL との比較を行い、現在どの帯域に属するかを判定する。そして、｜ΔＷＬ｜が連続して下限値ＴL を越えた際にはこの回数ｍが連続性計数部４２にてカウントされる。また、下限値ＴL 以下となった際にはｍを初期化（即ち、「１」）する。
【００７３】
そして、この回数ｍを用いて、演算部４３では次の（１２）式にて一次変換量ΔＷＬ′を演算する。
【数５】
ΔＷＬn ′＝ΔＷＬn ＊｜ΔＷＬn ｜＊ｆ1 （ｍ）  …（１２）
例えば、ｆ1 （ｍ）＝ｍk 
ｋは定数である
ここで、（１２）式による処理を加えないときのΔＷＬの特性図、ΔＷＬ′の特性図を図２３に示し、（１２）式による処理を加えたときのΔＷＬの特性図、ΔＷＬ′の特性図を図２４に示す。
【００７４】
そして、このように構成された第７実施例では、前記第６実施例と同様の効果を得ることができると共に、操作量ΔＷＬが下限値ＴL を連続して越えているときに一次変換量ΔＷＬ′が大きくなるように制御され、反対に操作量ΔＷＬが下限値ＴL よりも小さくなったときには初期値に戻るので、操作者の操作意志に適応したウインドウレベルの調整を行うことができるようになる。
【００７５】
次に、第７実施例の変形例について説明する。図２０は該変形例の構成を示すブロック図であり、図１９に示した帯域判定部４１が帯域ゼロ判定部４４となっている点で異なっている。
【００７６】
帯域ゼロ判定部４４は、回転スイッチ４の操作量がゼロであるかどうかを判定し、ゼロでない場合が複数回連続したときは連続性計数部４２にてこの回数ｍを計数する。その他については前記した第７実施例と同様に、演算部４３では以下の（１３）式にて一次変換量ΔＷＬ′を演算する。
【数６】
ΔＷＬn ′＝ΔＷＬn ＊｜ΔＷＬn ｜＊ｆ2 （ｍ）  …（１３）
ｆ2 （ｍ）＝ｍk 
ｋは定数である
ここで、（１３）式による処理を加えたときのΔＷＬの特性図、ΔＷＬ′の特性図を図２５に示す。
【００７７】
そして、この変形例によれば、前記第７実施例が所定の下限値ＴL を用いて、ΔＷＬがこの下限値ＴL よりも大きいかどうかを比較したのに対して、ΔＷＬがゼロであるかどうかを見て連続に回転スイッチ４を操作しているかどうかを判定している。従って、この変形例は、第７実施例の下限値ＴL をゼロとした場合である。
【００７８】
また、第７実施例の方法と変形例の方法とを併用して一次変換量ΔＷＬを求めることも可能である。この場合は図２１に示す如くの構成となり、演算部４３での演算式は次の（１４）式となる。
【００７９】
【数７】
ΔＷＬn ′＝ΔＷＬn ＊｜ΔＷＬn ｜＊ｆ1 （ｍ）＊ｆ2 （ｎ）  …（１４）
このような構成によれば、より一層感応的な操作が可能となる。
【００８０】
【発明の効果】
以上説明したように、本発明によれば、微調整が必要なウインドウ幅が小さい領域にて変化量が小さくなるので微調整が容易となり、反対に、ウインドウ幅が大きい領域では変化量が大きくなるのでウインドウ幅の変更が容易となる。
【図面の簡単な説明】
【図１】本発明の第１実施例の構成を示すブロック図。
【図２】第１実施例に係り、腹部画像を例とした濃淡帯域と操作感度の関係を示す特性図。
【図３】画素値と操作感度の関係を示す特性図。
【図４】しきい値を設定したときの画素値と操作感度の関係を示す特性図。
【図５】第１実施例に係る操作速度、操作感度、画素値の関係を示す特性図。
【図６】本発明の第２実施例の構成を示すブロック図。
【図７】第２実施例に係り、腹部画像を例とした濃淡帯域と操作感度の関係を示す特性図。
【図８】第２実施例に係る操作速度、操作感度、画素値の関係を示す特性図。
【図９】本発明の第３実施例の構成を示すブロック図。
【図１０】第３実施例に係り、ウインドウ幅と操作感度の関係を示す第１の特性図である。
【図１１】第３実施例に係り、ウインドウ幅、操作速度、操作感度の関係を示す第１の特性図。
【図１２】第３実施例に係り、ウインドウ幅と操作感度の関係を示す第２の特性図である。
【図１３】第３実施例に係り、ウインドウ幅、操作速度、操作感度の関係を示す第２の特性図。
【図１４】本発明の第４実施例の構成を示すブロック図。
【図１５】第４実施例に係り、ウインドウ幅と感度の関係を示す特性図である。
【図１６】表示ユニットの構成を示すブロック図である。
【図１７】本発明の第５実施例の構成を示すブロック図。
【図１８】第５実施例の変形例の構成を示すブロック図。
【図１９】本発明の第７実施例の構成を示すブロック図。
【図２０】第７実施例の変形例の構成を示すブロック図。
【図２１】第７実施例の他の変形例の構成を示すブロック図。
【図２２】第５実施例に係る処理を加えたときのウインドウレベルと操作感度の関係を示す特性図。
【図２３】第７実施例に係る処理を加えないときのΔＷＬおよびΔＷＬ′の変化を示す特性図。
【図２４】第７実施例に係る処理を加えたときのΔＷＬおよびΔＷＬ′の変化を示す特性図。
【図２５】第７実施例の変形例に係る処理を加えたときのΔＷＬおよびΔＷＬ′の変化を示す特性図。
【符号の説明】
１  インターフェース    ２  画像メモリ    ３  ヒストグラム計算部
４  ウインドウレベル回転スイッチ    ５，３２  速度一次変換部
６，３３  速度二次変換部    ７  ヒストグラムメモリ
８  既定義ヒストグラムメモリ    ９  ヒストグラム選択部
１０  操作感度代表値計算部    １１  操作感度代表値メモリ
１２，３４  加算部    １３  ウインドウレベルメモリ
２１  指定組織帯域中心算出部    ２２  指定組織帯域中心値メモリ
３１  ウインドウ幅回転スイッチ    ３５  ウインドウ幅メモリ
３６，４１  感度補正部
【図１】
0003748457.tif 000002
【図２】
0003748457.tif 000003
【図３】
0003748457.tif 000004
【図４】
0003748457.tif 000005
【図５】
0003748457.tif 000006
【図６】
0003748457.tif 000007
【図７】
0003748457.tif 000008
【図８】
0003748457.tif 000009
【図９】
0003748457.tif 000010
【図１０】
0003748457.tif 000011
【図１１】
0003748457.tif 000012
【図１２】
0003748457.tif 000013
【図１３】
0003748457.tif 000014
【図１４】
0003748457.tif 000015
【図１５】
0003748457.tif 000016
【図１６】
0003748457.tif 000017
【図１７】
0003748457.tif 000018
【図１８】
0003748457.tif 000019
【図１９】
0003748457.tif 000020
【図２０】
0003748457.tif 000021
【図２１】
0003748457.tif 000022
【図２２】
0003748457.tif 000023
【図２３】
0003748457.tif 000024
【図２４】
0003748457.tif 000025
【図２５】
0003748457.tif 000026